(57)【要約】【課題】バリア羽根を開閉させる駆動負荷を低く抑え、滑らかな開閉を行う信頼性の高いカメラのバリア装置を提供する。【解決手段】バリア主羽根部材２２のバネ掛け２２ｅとバリア副羽根部材２３のバネ掛け２３ｅとの間に、バリア駆動リング２１に突設したバネ掛け部２１ｃを配置する。バネ掛け２２ｅと、バネ掛け部２１ｃとの間にバリア主羽根用の閉じバネ２７を架設し、バネ掛け２３ｅとバネ掛け部２１ｃとの間にバリア副羽根用の閉じバネ２８を架設する。バリア駆動リング２１を回動してバリア開状態に移行するときは、閉じバネ２７のバネ掛け２２ｅとバネ掛け２１ｃとの距離が縮み、バリア主羽根用の閉じバネ２７の付勢力が減衰する。バリア開状態で減衰される閉じバネ２７と、閉じバネ２８との合力となる低いトルクに対応して、バリア開状態でバリア駆動リング２１に働く、開きバネ２６によるトルクを弱く設定する。【選択図】図７
2010039129.tif 000002
【特許請求の範囲】
【請求項１】
レンズ表面を覆う閉位置と前記レンズ表面を露出する開位置との間で開閉移動する第１、第２の羽根部材と、
前記第１の羽根部材及び前記第２の羽根部材とは異なる駆動部材に設けられた第１、第２の係合部と、
一端が前記第１の係合部に係合し、他端が前記第１の羽根部材に係合することにより、前記第１の羽根部材に付勢力を与える第１の付勢部材と、
一端が前記第２の係合部に係合し、他端が前記第２の羽根部材に係合することにより、前記第２の羽根部材に付勢力を与える第２の付勢部材と、
を備え、
前記第１、第２の係合部が、前記第１、第２の羽根部材の他端に対して移動可能であることを特徴とするカメラのバリア装置。
【請求項２】
前記第１、第２の羽根部材がレンズ前面を閉状態から開状態に移行させるために前記駆動部材を移動する過程において、前記第１の付勢部材の付勢力は、減衰することを特徴とする請求項１に記載のカメラのバリア装置。
【請求項３】
前記第１、第２の付勢部材は、前記第１、第２の羽根部材が配置された光軸方向と略垂直の略同一面上に配置されたことを特徴とする請求項１に記載のカメラのバリア装置。
【請求項４】
前記第１、第２の付勢部材は、前記バリア部材の被写体側に配置されたことを特徴とする請求項１に記載のカメラのバリア装置。
【請求項５】
前記第１、第２の付勢部材は、コイルスプリングで構成されることを特徴とする請求項１〜５に記載のカメラのバリア装置。
【発明の詳細な説明】
【技術分野】
【０００１】
本発明は、カメラのレンズ鏡筒における、撮影レンズの前面に配置されるカメラのバリア装置に関する。
【背景技術】
【０００２】
近年、カメラは、自動化、コンパクト化が進み、利便性の向上及び高機能化が図られている。このようなカメラには、撮影レンズの前面にバリア装置を装着したものがある。このカメラのバリア装置では、ズーム機構や沈胴機構と連動して収納状態とするときに自動的にバリアが閉じる方式のものが主流になってきている。
【０００３】
また、カメラの小型化が進むと撮影レンズを保持する鏡筒も益々小径化し、バリア装置では、２枚の羽根部材でレンズを覆い切れなくなるので、４枚の羽根部材を用いて覆うように構成したものが用いられている。この４枚の羽根部材を用いたバリア装置では、大きな撮影開口を塞ぐための４枚の羽根部材を、撮影開口を開いたときに重なる状態にして小さい面積に収納できるように構成されている。
【０００４】
従来、４枚の羽根部材を用いたバリア装置（バリア機構）には、撮影レンズ前面に開閉可能に取り付けられた大小２対の羽根部材より成るバリア部材と、バリア部材を開閉させるバリア駆動手段とを備えたものがある。このバリア装置におけるバリア部材は、撮影レンズの光軸と略直交する同一面上で、バリア駆動手段によって開閉操作されるように構成された主羽根部材と副羽根部材から成る。なお、この副羽根部材は、主羽根部材の動きに追従して開閉するように構成されている。
【０００５】
また、このバリア装置では、主羽根部材と副羽根部材との間に、バリア駆動手段の一部となる一つのばね部材を架設し、それぞれの羽根部材を閉方向または開方向に付勢するよう構成されている（例えば、特許文献１参照）。
【０００６】
また、従来の他の構成のレンズバリア装置では、リング状のバリアカバーの対称位置の一方位置に、一方の第１、第２バリア羽根を軸支し、その他方位置に他方の第１、第２バリア羽根を軸支して構成する。これと共に、このレンズバリア装置では、一方の第１、第２バリア羽根には一方のばねにより、他方の第１、第２バリア羽根には他方のばねにより、各々閉成勢力が与えられるように構成する。さらに、バリア駆動リングの対称位置には、それぞれカムを設ける。
【０００７】
そして、このレンズバリア装置では、一方のカムにより一方の第１、第２バリア羽根の駆動ピンを駆動し、他方のカムにより他方の第１、第２バリア羽根の駆動ピンを駆動する。このようにして、４枚のバリア羽根を各々独立駆動させて一面上で開閉動作させるレンズバリア装置が提案されている（例えば、特許文献２参照）。
【特許文献１】特開２００１−０８３５７５号公報
【特許文献２】特開２００２−１４８６８２号公報
【発明の開示】
【発明が解決しようとする課題】
【０００８】
しかしながら、前述した従来の４枚の羽根部材を用いたバリア装置では、主羽根部材と副羽根部材から成る２対のバリア部材がバリア駆動手段で開閉させるように構成されている。さらに、主羽根部材と副羽根部材との間には、それぞれの羽根部材を閉方向に付勢する一つのばね部材が架設されている。
【０００９】
このように構成された４枚の羽根部材を用いたバリア装置では、主羽根と副羽根のそれぞれをバネ等でバリア閉方向に付勢することにより閉じ状態を保持する。また、この４枚の羽根部材を用いたバリア装置では、バリア開状態へ作動するときに、閉方向へ付勢するバネの付勢力に抗して、バリア開方向へ駆動力を与えることによりバリア開状態とする。
【００１０】
すなわち、従来の４枚の羽根部材を用いたバリア装置では、閉方向へ付勢するバネの付勢力に抗して開方向へ駆動させる。よって、従来の４枚の羽根部材を用いたバリア装置では、バリアの羽根部材を開方向へ駆動させるための駆動力を、閉方向へ駆動させるための駆動力より強くしなければならない。
【００１１】
さらに、この４枚の羽根部材を用いたバリア装置では、バリアの羽根部材が閉じた時、２枚の主羽根が接触し完全に閉じきり、かつ、ごみなどの異物挟み込みや、ユーザーによる不意な動作が起きても閉状態を保つ必要がある。このため、主羽根の閉方向の付勢力は、ある程度大きな付勢力にする必要がある。
【００１２】
以上のことから、特に４枚の羽根部材を用いたバリア装置では、開方向へ駆動させるための駆動力と、閉方向へ駆動させるための駆動力とを、お互いに強く設定しなければならない。このため、４枚の羽根部材を用いたバリア装置では、バリアの羽根部材を開閉動作させるための駆動負荷が大きくなり、バリア部品がねじれてバリアを開閉する再に動作不良を起こす虞があった。
【００１３】
本発明の目的は、バリアの羽根部材を開閉動作させるための駆動負荷を低く抑えつつ、確実に滑らかな開閉動作を行えるようにした信頼性の高いカメラのバリア装置を提供することにある。
【課題を解決するための手段】
【００１４】
上記目的を達成するために、請求項１記載のカメラのバリア装置は、レンズ表面を覆う閉位置と前記レンズ表面を露出する開位置との間で開閉移動する第１、第２の羽根部材と、前記第１の羽根部材及び前記第２の羽根部材とは異なる駆動部材に設けられた第１、第２の係合部と、一端が前記第１の係合部に係合し、他端が前記第１の羽根部材に係合することにより、前記第１の羽根部材に付勢力を与える第１の付勢部材と、一端が前記第２の係合部に係合し、他端が前記第２の羽根部材に係合することにより、前記第２の羽根部材に付勢力を与える第２の付勢部材と、を備え、前記第１、第２の係合部が、前記第１、第２の羽根部材の他端に対して移動可能であることを特徴とする。
【発明の効果】
【００１５】
本発明によれば、バリアの羽根部材を開閉動作させるための駆動負荷が大きくなることによる動作不良や、バリア開閉動作に不良が発生することを抑制し、信頼性の高いカメラのバリア装置を提供することができる。
【発明を実施するための最良の形態】
【００１６】
以下、本発明のカメラのバリア装置に係わる実施の形態について図面を参照しながら説明する。
【００１７】
図１は、本発明の実施の形態に係わるバリア装置を備えたカメラ本体を示す斜視図である。
【００１８】
図１において、１はカメラボディであり、その前面の略中心にレンズ鏡筒１０が配置されている。
【００１９】
図２は、本発明の実施の形態に係わる、カメラ本体に装着したバリア装置を備えるレンズ鏡筒１０の部分を取り出して構成の概略を示した分解斜視図である。
【００２０】
この図２で、１１は１群筒、１２は２群レンズホルダであり、それぞれレンズ群を保持している。１３はカム筒、１４は直進ガイド筒であり、１群筒１１、２群レンズホルダ１２などのレンズ群をズーム動作に連動して光軸方向へ移動させるためのものである。
【００２１】
この図２で、１５は、駆動筒であり、不図示の駆動源により回転されることにより、回転駆動力をカム筒１３に伝達する。１６は固定筒であり、レンズ鏡筒１０を構成する筒を保持している。
【００２２】
この図２に示した構成以外に、このレンズ鏡筒１０には、通常用いられている構成の、図示しないＡＦレンズ群、他の駆動機構等も存在するが、ここではその説明を省略する。
【００２３】
上述した本実施の形態に係わるカメラ本体では、一般的な構成の沈胴式のレンズ鏡筒１０における１群筒１１の前面部分に、図３に示すような、沈胴時にレンズを保護するバリア機構を装着して構成する。
【００２４】
図３は、本発明の実施の形態に係わるカメラ本体のレンズ鏡筒１０における１群筒１１に装着されたバリア機構の構成を示す分解斜視図である。
【００２５】
この図３で、２１は、レンズ鏡筒１０の沈胴、繰り出し動作に連動して回転するバリア駆動リングであり、具体的には、カム筒１３の回転に連動して回転するように、１群筒１１の前面部分に回動可能に装着されている。また、このバリア駆動リング２１には、その直径方向に対応する２箇所に、それぞれバネ掛け部２１ｂを突設する。これと共に、１群筒１１の前面部分における直径方向に対応する所定２箇所には、バネ係止部１１ｃを突設する。
【００２６】
そして、１群筒１１の各バネ係止部１１ｃと、それぞれ対応するバリア駆動リング２１の各バネ掛け部２１ｂとの間に、引張コイルばね（コイルスプリング）である各開きバネ２６を架設する。
【００２７】
このように構成することにより、バリア駆動リング２１には、開きバネ２６により、図４のバリア羽根が開く方向（図４に向かって反時計回り方向）に回転力が与えられる。
【００２８】
この図３で、２２はバリア主羽根、２３はバリア副羽根であり、共に同形状の２組の羽根を用いて、沈胴時に一群レンズ２５の前面を覆うように構成されている。このバリア主羽根部材２２は、その基端部に形成された軸受部の軸孔を、それぞれ対応する１群筒１１の前面に突設された回転軸１１ａに軸着して回転軸１１ａを中心に回転して開閉動作可能に装着される。
【００２９】
これと共に、バリア副羽根部材２３は、その基端部に形成された軸受部の軸孔を、それぞれ対応する１群筒１１の前面に突設された回転軸１１ｂに軸着して、回転軸１１ｂを中心に回転して開閉動作可能に装着される。
【００３０】
また、このバリア主羽根部材２２、バリア副羽根部材２３は、それぞれ引張コイルばね（コイルスプリング）で構成した閉じバネ２７、２８によって、バリア羽根が閉じる方向へ回転するよう付勢されている。
【００３１】
この図３で、２４はバリアカバーであり、バリア主羽根部材２２、バリア副羽根部材２３の光軸方向の移動を規制すると共に、レンズ鏡筒１０の外観部を形成する。
【００３２】
次に、レンズ鏡筒１０におけるバリア主羽根部材２２及びバリア副羽根部材２３を開閉するための構成について、図４乃至図６により詳細に説明する。
【００３３】
図４は、本発明の実施の形態に係わるカメラ本体のレンズ鏡筒１０におけるバリア駆動リング２１を取り出して示す、拡大斜視図である。
【００３４】
図５は、本発明の実施の形態に係わるカメラ本体のレンズ鏡筒１０におけるバリア駆動リング２１のバネ掛け２１ｃの部分を断面で示す要部拡大断面図である。
【００３５】
図６は、本発明の実施の形態に係わるカメラ本体のレンズ鏡筒１０におけるバリア駆動リング２１にバリア主羽根部材２２、バリア副羽根部材２３を軸着した部分を示す要部拡大正面図である。
【００３６】
図４に示すように、バリア駆動リング２１は、略円環状に形成されている。このバリア駆動リング２１には、その外周面上の所定２箇所から、側面視で略Ｌ字型状に折曲して延出された連動用操作片部２１ａが一体的に設けられている。
【００３７】
この連動用操作片部２１ａには、沈胴時に、カム筒１３の前方（被写体側）に設けられたバリア駆動部１３ａ（図２に図示）が当接される。そして、バリア駆動部１３ａは、開きバネ２６の開き方向付勢力に抗しながら、バリア駆動リング２１をバリア閉方向（図４に向かって時計回り方向）へ回転させる。
【００３８】
すなわち、このカメラの沈胴動作時に、駆動源から伝達された回転駆動力により回転されたカム筒１３のバリア駆動部１３ａが、連動用操作片部２１ａを押してバリア駆動リング２１をバリア閉方向（図４に向かって時計回り方向）へ回転させる。
【００３９】
また、このバリア駆動リング２１には、上述した各バネ掛け部２１ｂから円周方向に所定距離だけ離れた各位置に、それぞれ閉じバネ用のバネ掛け部２１ｃを突設する。このバネ掛け部２１ｃは、図５に断面で示すように、バネ掛け部２１ｃに２本の閉じバネ２７、２８を同時に係止可能に構成する。バネ掛け部２１ｃは、その下端部から中間部にかけての部分を太い軸に形成し、その上の部分を細い軸に形成することによって、段差２１ｑが形成されている。
【００４０】
これと共に、バネ掛け部２１ｃの自由端部の一箇所には、ラジアル方向に突片状に延出する外れ止め突部２１ｐが形成されている。
【００４１】
このバネ掛け部２１ｃは、その細い軸の部分をバリア主羽根用の閉じバネ２７を係着する第１の係合部とし、その太い軸の部分をバリア副羽根用の閉じバネ２８を係着する第２の係合部とする。なお、第１の係合部と、第２の係合部とは、バリア駆動リング２１の異なる場所に配置しても良い。
【００４２】
このように形成されたバネ掛け部２１ｃには、下段側の太軸部分にバリア副羽根用の閉じバネ２８の一端部を係止し、上段側の細軸部分にバリア主羽根用の閉じバネ２７の一端部を係止する。すなわち、バネ掛け部２１ｃには、２本の閉じバネ２７、２８の各端部を同時に係止する。
【００４３】
このようにバネ掛け部２１ｃに係止されたバリア副羽根用の閉じバネ２８は、外れ止め突部２１ｐによって、自由端部から外れ落ちるのが防止される。これと共に、バネ掛け部２１ｃに係止されたバリア副羽根用の閉じバネ２８は、高さ方向への移動がバリア主羽根用の閉じバネ２７によって制限され、抜け落ちが防止される。
【００４４】
バリア駆動リング２１には、図４に示すように、各バネ掛け部２１ｂの近傍から各対応する連動用操作片部２１ａにかけての円周部分に、それぞれレール２１ｅ、２１ｆを形成する。これらレール２１ｅ、２１ｆは、それぞれバリア主羽根部材２２、バリア副羽根部材２３の光軸方向の位置を制限する。
【００４５】
また、バリア駆動リング２１には、図４及び６に示すように、各バネ掛け部２１ｃの近傍に所定範囲に渡る略矩形の溝状に形成した相対移動許容部２１０を設ける。さらに、この相対移動許容部２１０には、対応する各バネ掛け部２１ｃに隣接した所定位置に、溝の縁として形成した当接面２１ｄを設ける。
【００４６】
この当接面２１ｄは、バリア開動作時にバリア主羽根２１の駆動ピン２２ｃと当接することで、バリア駆動リング２１の回転動作をバリア主羽根部材２２に伝達し、バリア開動作をさせるよう構成されている。
【００４７】
すなわち、相対移動許容部２１０の溝内部には、バリア主羽根２１の駆動ピン２２ｃが、相対移動許容部内で移動可能に遊挿された状態に構成されている。よって、バリア駆動リング２１は、相対移動許容部２１０の溝の一方の縁として形成した当接面２１ｄと、他方の溝の縁との範囲内で、バリア主羽根部材２２と無関係に移動が自由となるように構成されている。
【００４８】
図６乃至図９に示すように、バリア主羽根部材２２には、閉じバネ２７を係止するためのバネ掛け２２ｅを設ける。また、バリア副羽根部材２３には、閉じバネ２８を係止するためのバネ掛け２３ｅを設ける。
【００４９】
これらバリア主羽根部材２２、バリア副羽根部材２３は、それぞれ１群筒１１の回転軸１１ａ、回転軸１１ｂに軸着されて配置される。これと共に、１群筒１１には、バリア駆動リング２１が装着されている。この状態で、バリア主羽根部材２２のバネ掛け２２ｅと、対応するバリア副羽根部材２３のバネ掛け２３ｅとの間の略中央位置には、バリア駆動リング２１に設けられたバネ掛け２１ｃが配置されるよう構成する。すなわち、バリア主羽根部材２２のバネ掛け２２ｅと、対応するバリア副羽根部材２３のバネ掛け２３ｅとの間に、バリア駆動リング２１のバネ掛け２１ｃが挟まれるように配置する。
【００５０】
そして、バリア主羽根部材２２のバネ掛け２２ｅと、バリア駆動リング２１のバネ掛け２１ｃとの間には、閉じバネ２８を架設する。これと共に、バリア駆動リング２１のバネ掛け２１ｃと、バリア副羽根部材２３のバネ掛け２３ｅとの間には、閉じバネ２７を架設する。
【００５１】
このように構成することにより、バリアが開閉動作する過程において、２本の閉じバネ２７，２８は、一方が伸びるときは、他方が縮む。また、一方が縮むときは、他方が伸びるように作用する。
【００５２】
次に、上述のように構成されたレンズ鏡筒１０におけるバリア装置の組立過程について以下に説明する。
【００５３】
まず、１群筒１１には、一群レンズ２５を接合し、バリア駆動リング２１を装着し、さらに、１群筒１１とバリア駆動リング２１との間に橋渡すように２本の開きバネ２６を組み付ける。
【００５４】
次に、１群筒１１には、バリア主羽根部材２２を回転軸１１ａに軸着し、バリア副羽根部材２３を、回転軸１１ｂへ軸着する。
【００５５】
次に、閉じバネ２７を、バリア主羽根部材２２のバネ掛け２２ｅとバリア駆動リング２１のバネ掛け２１ｃとの間に、架設する。
【００５６】
次に、閉じバネ２７を、バリア駆動リング２１のバネ掛け２１ｃとバリア副羽根部材２３のバネ掛け２３ｅとの間に、架設する。
【００５７】
最後にバリアカバー２４を組み込むことでユニットを完成する。
【００５８】
よって、このレンズ鏡筒１０におけるバリア装置の組立過程では、各部品を被写体側から順番に組付ける作業により、全ての部品を組付けることができる。
【００５９】
次に、上述のように構成されたレンズ鏡筒１０におけるバリア装置の有用な手段について図７乃至図１０により説明する。
【００６０】
図７は、本発明の実施の形態に係わるカメラ本体に装着したレンズ鏡筒１０部分を取り出してバリア装置が閉じている動作状態を示す正面図である。
【００６１】
図８は、本発明の実施の形態に係わるカメラ本体に装着したレンズ鏡筒１０部分を取り出してバリア装置が開いている状態を示す正面図である。なお、図中で、バリアカバー２４は、省略している。
【００６２】
図９は、本発明の実施の形態に係わるカメラ本体に装着したレンズ鏡筒１０部分のバリア装置におけるバリア羽根の要部を取り出して示す要部斜視図である。
【００６３】
図１０は、図７のＡ−Ａ線矢視による断面図である。
【００６４】
図７により、レンズ鏡筒１０に装着したバリア装置の開閉動作と、バリア装置を閉じ状態に保持する手段について、説明する。
【００６５】
このレンズ鏡筒１０のバリア装置では、沈胴時に、カム筒１３が、バリア駆動リング２１の連動用操作片部２１ａに当接して開きバネ２６の付勢力を打ち消す方向へバリア駆動リング２１を回転させることにより、バリア閉じ状態に移行する。
【００６６】
このようにして、図７に示すように、バリア装置が閉じられた状態では、２枚のバリア主羽根部材２２の合わせ面２２ａがお互いに当接している。また、バリア主羽根部材２２の合わせ面２２ｂは、バリア副羽根部材２３の合わせ面２３ｂと当接している。
【００６７】
このバリア装置が閉じている状態では、２本の閉じバネ２７、２８によるバリア閉じ方向の付勢力により、４枚のバリア羽根が圧接して閉じた状態を保持する。よって、この状態では、当接し合う羽根に閉じ方向へ適度な付勢力が与えられているので、容易にごみが進入して開閉動作に不都合が生じたりすることを防ぐことができる。
【００６８】
次に、図９及び図１０により、レンズ鏡筒１０に装着したバリア装置の小型化を図るための手段について、説明する。
【００６９】
図９に示すように、このバリア装置では、バリア主羽根部材２２と、バリア副羽根部材２３とにおけるレンズを覆うレンズ遮蔽部２２ｄ、２３ｄが、レンズ前面を覆った状態で、これらの前面が平面的に連なるように構成する。
【００７０】
さらに、図１０のＡ−Ａ線矢視の断面図に示すように、このバリア装置では、バリア主羽根部材２２のレンズ遮蔽部２２ｄの配置位置と、閉じバネ２７、２８の配置位置とが光軸に対してほぼ同一垂直面になるように配置されている。これにより、バリア機構は、光軸方向の長さを低減して小型化を図ることができる。
【００７１】
すなわち、バリア主羽根部材２２は、そのレンズ遮蔽部２２ｄの部分から基端の軸受部２２ｆに接続する部分で階段状の段差を作るように折曲して、基端部分２２ｇが形成されている。そして、この基端部分２２ｇにバネ掛け２２ｅが突設されている。このため、基端部分２２ｇのバネ掛け２２ｅに係止されたバリア主羽根用の閉じバネ２７は、その位置が、レンズ遮蔽部２２ｄの光軸方向と略垂直の略同一面上（いわゆる面一の状態）に配置される。言い換えると、バネ掛け２２ｅに係止されたバリア主羽根用の閉じバネ２７がレンズ遮蔽部２２ｄの厚さ方向の位置に並ぶように配置される。これにより、バリア機構は、光軸方向の長さを低減して小型化を図ることができる。
【００７２】
これと共に、バリア副羽根部材２３は、そのレンズ遮蔽部２３ｄの部分から基端の軸受部２３ｆに接続する部分で階段状の段差を作るように折曲して、基端部分２３ｇが形成されている。そして、この基端部分２３ｇにバネ掛け２３ｅが突設されている。このため、基端部分２３ｇのバネ掛け２３ｅに係止されたバリア副羽根用の閉じバネ２８は、その位置が、レンズ遮蔽部２２ｄの光軸方向と略垂直の略同一面上（いわゆる面一の状態）に配置される。言い換えると、バネ掛け２３ｅに係止されたバリア副羽根用の閉じバネ２８がレンズ遮蔽部２３ｄの厚さ方向の位置に並ぶように配置される。これにより、バリア機構は、光軸方向の長さを低減して小型化を図ることができる。
【００７３】
次に、図１１及び図１２により、レンズ鏡筒１０に装着したバリア装置の開閉動作を、開きバネ、閉じバネのばね力を低減し、比較的小さな駆動負荷で、安定して良好に行わせるための手段について説明する。
【００７４】
このレンズ鏡筒１０に装着したバリア装置では、開きバネ、閉じバネのばね力を利用して、バリア主羽根部材２２及びバリア副羽根部材２３の開閉動作を行う。
【００７５】
レンズ鏡筒１０に装着したバリア装置におけるバリアが閉状態から開状態へ移行する過程では、開きバネ２６の開き方向付勢力に抗して閉じ状態となっているカム筒１３が、鏡筒繰り出し動作に連動してバリア開き方向に回転する。これに追従して、バリア駆動リング２１が、開きバネ２６の付勢力（トルク）によってバリア開き方向（図４に向かって反時計方向）へ回転する。
【００７６】
この時、バリア装置では、バリア駆動リング２１の凹状の当接面２１ｄと、バリア主羽根部材２２の駆動ピン２２ｃとが当接する。すると、バリア主羽根部材２２は、バリア駆動リング２１に連動して、回転軸１１ａを中心に開き方向へ回転する。
【００７７】
さらに、バリア主羽根部材２２の開き動作に連動して、バリア副羽根部材２３は、当接面２３ｂがバリア主羽根の当接面２２ｂ上を滑るように摺動することにより、回転軸１１ｂを中心に開き方向へ回転する。
【００７８】
この時、バリア装置では、確実にバリア羽根が閉状態から開状態へ切り替わるように、開きバネ２６と２本の閉じバネ２７、２８の合力とを適切に設定する必要がある。
【００７９】
このバリア装置では、バリア駆動リング２１に対して作用する開きバネ２６によるバリア開き方向の回転トルクの方が、２本の閉じバネ２７、２８の合力によるバリア閉じ方向の回転トルクよりも大きく設定される。
【００８０】
ここで、従来のバリア装置では、バリア駆動リングの回転に伴う、開きバネ、閉じバネの回転トルクの変化について見ると、図１１に例示する如くなる。
【００８１】
図１１に示すように、従来のバリア装置の開閉機構の場合には、開動作時において、主羽根、副羽根に装着された閉じ方向のバネが共にチャージされ、負荷が増大し、バリア開状態において閉じ方向のトルクが最大となる。すなわち、従来のバリア装置の開閉機構では、バリア開状態のときに、閉じバネの合力がバリア駆動リングに与える回転トルクが最大となる。
【００８２】
これに対抗して、従来のバリア装置におけるバリア開動作を行うための開きバネは、閉じ方向のトルクに打ち勝つトルクを発生させるばね力に設定しなければならず、比較的大きな力を発生させるバネを用いている。
【００８３】
このため、図１１に例示するように、開閉動作の全区間において閉じバネの回転トルクに打ち勝つように開きバネのばね力を設定した場合には、バリア閉じ状態での、開きバネによる初期トルクＴ０を、比較的大きく設定しなければならない。
【００８４】
これに対して、本実施の形態に係わるカメラのバリア装置では、バリア駆動リングの回転に伴い、開きバネ、閉じバネがバリア駆動リングに与える回転トルクの変化が図１２に示すようになる。
【００８５】
本実施の形態に係わるカメラのバリア装置では、バリア開状態に移行する過程において、閉じバネ２７の一端のバネ掛け２１ｃがバリア開動作と共に回転移動するので、バリア開状態で、閉じバネ２７のバネ力が増大しないように設定できる。
【００８６】
すなわち、バリア開状態に移行する過程では、閉じバネ２８が引っ張られ、バネ力が増大する。しかし、バリア開状態に移行する過程では、バリア副羽根部材２３の回転中心点とバリア主羽根部材２２との当接点と、それに対する閉じバネ２８の引っ張る角度と、の関係上、バリア副羽根部材２３に与える回転トルクが大きく増大しない。
【００８７】
これと共に、このバリア開状態に移行する過程では、バリア主羽根用の閉じバネ２７のバネ掛け２２ｅとバネ掛け２１ｃとの距離が縮み、バリア主羽根用の閉じバネ２７の付勢力が減衰する。
【００８８】
そのため図１２に示すように、本実施の形態に係わるカメラのバリア装置では、複数の閉じバネ２７、２８による回転トルクの合力が、特にバリア開状態で極端に大きくならず、開閉動作中のトルクの合力が平均化される。
【００８９】
よって、バリア駆動リング２１に働く複数の閉じバネ２７、２８による回転トルクの合力に対抗するため、バリア駆動リング２１に負荷される開きバネ２８の付勢力は、比較的小さく設定することができる。
【００９０】
これにより本実施の形態に係わるカメラのバリア装置では、バリア開閉動作をさせるための駆動負荷を低減でき、バリア装置の構成部品に開きバネ又は閉じバネの大きな付勢力が働いて変形する等してバリア開閉動作に支障をきたすことを抑制できる。すなわち、従来のバリア装置で発生していた、鏡筒の移動動作に伴ってバリア開閉動作をさせるための鏡筒駆動負荷が大きくなること、及びバリア部品がねじれてバリア開閉動作に不良が発生することを抑制できる。
【００９１】
また、本実施の形態に係わるカメラのバリア装置では、バリア開動作の開始時に、バリア駆動リング２１が、バリア主羽根部材２２と無関係に所定範囲内で回動するように構成されている。すなわち、バリア開動作の開始時に、バリア駆動リング２１は、図６に示す駆動ピン２２ｃが相対移動許容部２１０の当接面２１ｄから離間している状態から、バリア開方向へ回転を開始する。そして、バリア駆動リング２１は、駆動ピン２２ｃが当接面２１ｄに当接するまでの間、バリア駆動リング２１だけが回転する。
【００９２】
この動作によって、バリア駆動リング２１に突設されたバネ掛け部２１ｃは、静止しているバリア主羽根部材２２のバネ掛け２２ｅとの距離が縮み、バリア主羽根用の閉じバネ２７の弾性変形量が縮小して付勢力が減衰して弱まる。
【００９３】
さらにバリア駆動リング２１がバリア開方向へ回動した場合には、バリア駆動リング２１に突設されたバネ掛け部２１ｃと静止しているバリア副羽根部材２３のバネ掛け２３ｅとの距離が伸びる。これによりバリア副羽根用の閉じバネ２８は、弾性変形量が増大して付勢力が強まる。
【００９４】
さらに、バリア駆動リング２１がバリア開方向へ回転すると、当接面２１ｄが駆動ピン２２ｃに当接してバリア主羽根部材２２を、回転軸１１ａを中心として開く方向へ回動する。この動作では、図６に示すように、バネ掛け部２１ｃと、駆動ピン２２ｃと、バネ掛け２２ｅとが直線的に並んでいた位置関係が変わり、バネ掛け２２ｅがラジアル方向外側へ移動する。この結果、バネ掛け部２１ｃとバネ掛け２２ｅの距離は縮み、バリア主羽根用の閉じバネ２７の弾性変形量が縮小して付勢力が減衰して弱まる。
【００９５】
また、この動作では、バネ掛け２３ｅがバリア副羽根部材２３の回転軸１１ｂを中心に回動して開く動作に従って、図６に示す位置からラジアル方向外側（外径側）へ移動する。この結果、バネ掛け部２１ｃとバネ掛け２３ｅの距離は、伸び、バリア副羽根用の閉じバネ２８の弾性変形量が増大して付勢力が強まる。
【００９６】
ここで、このバリア装置では、バリア副羽根用の閉じバネ２８の付勢力（バネ力）を、バリア主羽根部材２２の開き動作を妨げない範囲で設定する。これと共に、開動作時にバリア駆動リング２１に与える付勢力（トルク）は、開きバネ２６によるトルクの方が、バリア主羽根用の閉じバネ２７と閉じバネ２８との合力となるトルクより大きくなるように設定する。
【００９７】
このバリア装置では、大きなバリア主羽根部材２２を回動するためのバリア主羽根用の閉じバネ２７の付勢力に比較して、小さなバリア副羽根部材２３を回動するためのバリア副羽根用の閉じバネ２８の付勢力を小さくする。これにより、複数の閉じバネ２７、２８による回転トルクの合力が、特にバリア開状態で極端に大きくならず、開閉動作中のトルクの合力が平均化される。
【００９８】
このため、このバリア装置では、２本の開きバネ２６による開動作時の付勢力を、複数の閉じバネ２７、２８による回転トルクの合力が低減されて開閉動作中のトルクの合力を平均化されたものに対応する、小さな付勢力に設定することができる。
【００９９】
これによって、鏡筒の移動動作に伴ってバリア開閉動作をさせるための鏡筒駆動負荷が大きくなること、及びバリア部品がねじれてバリア開閉動作に不良が発生することを抑制できる。
【０１００】
要するに、本発明では、レンズ表面を覆う閉位置とレンズ表面を露出する開位置との間で開閉移動する第１の羽根部材（バリア主羽根部材２２）、第２の羽根部材（バリア副羽根部材２３）とを設ける。さらに、第１の羽根部材及び第２の羽根部材とは異なる駆動部材（バリア駆動リング２１）に設けられた第１の係合部、第２の係合部とを設ける。一端が第１の係合部に係合し、他端が第１の羽根部材に係合することにより、第１の羽根部材に付勢力を与える第１の付勢部材（バリア主羽根用の閉じバネ２７）を設ける。一端が第２の係合部に係合し、他端が第２の羽根部材に係合することにより、第２の羽根部材に付勢力を与える第２の付勢部材（バリア副羽根用の閉じバネ２８）を設ける。第１、第２の係合部が、第１、第２の羽根部材の他端に対して移動可能に構成する。さらに、第１、第２の羽根部材がレンズ前面を閉状態から開状態に移行させるために駆動部材を移動する過程において、第１の付勢部材の付勢力が減衰するように構成する。
【０１０１】
これにより開きバネ２６による開動作用の付勢力を、小さな付勢力に設定することができる。よって、鏡筒の移動動作に伴ってバリア開閉動作をさせるための鏡筒駆動負荷が大きくなること、及びバリア部品がねじれてバリア開閉動作に不良が発生することを抑制できるものである。
【図面の簡単な説明】
【０１０２】
【図１】本発明の実施の形態に係わるバリア装置を備えたカメラ本体を示す斜視図である。
【図２】本発明の実施の形態に係わる、カメラ本体に装着したバリア装置を備えるレンズ鏡筒の部分を取り出して構成の概略を示した分解斜視図である。
【図３】本発明の実施の形態に係わるカメラ本体のレンズ鏡筒における１群筒に装着されたバリア機構の構成を示す分解斜視図である。
【図４】本発明の実施の形態に係わるカメラ本体のレンズ鏡筒におけるバリア駆動リングを取り出して示す、拡大斜視図である。
【図５】本発明の実施の形態に係わるカメラ本体のレンズ鏡筒におけるバリア駆動リングのバネ掛けの部分を断面で示す要部拡大断面図である。
【図６】本発明の実施の形態に係わるカメラ本体のレンズ鏡筒におけるバリア駆動リングにバリア主羽根、バリア副羽根を軸着した部分を示す要部拡大正面図である。
【図７】本発明の実施の形態に係わるカメラ本体に装着したレンズ鏡筒部分を取り出してバリア装置が閉じている動作状態を示す正面図である。
【図８】本発明の実施の形態に係わるカメラ本体に装着したレンズ鏡筒部分を取り出してバリア装置が開いている状態を示す正面図である。
【図９】本発明の実施の形態に係わるカメラ本体に装着したレンズ鏡筒部分のバリア装置におけるバリア羽根の要部を取り出して示す要部斜視図である。
【図１０】図７のＡ−Ａ線矢視による断面図である。
【図１１】従来のバリア装置の開閉駆動時における閉じバネ、開きバネの負荷変動を例示する説明図である。
【図１２】本発明に係わるバリア装置の開閉駆動時における閉じバネ、開きバネの負荷変動を例示する説明図である。
【符号の説明】
【０１０３】
１  カメラボディ
１０  レンズ鏡筒
１１  １群筒
１２  ２群レンズホルダ
１３  カム筒
１４  直進ガイド筒
１５  駆動筒
１６  固定筒
２１  バリア駆動リング
２２  バリア主羽根
２３  バリア副羽根
２４  バリアカバー
２５  一群レンズ
２６  開きバネ
２７  閉じバネ
２８  閉じバネ
【図１】
2010039129.tif 000003
【図２】
2010039129.tif 000004
【図３】
2010039129.tif 000005
【図４】
2010039129.tif 000006
【図５】
2010039129.tif 000007
【図６】
2010039129.tif 000008
【図７】
2010039129.tif 000009
【図８】
2010039129.tif 000010
【図９】
2010039129.tif 000011
【図１０】
2010039129.tif 000012
【図１１】
2010039129.tif 000013
【図１２】
2010039129.tif 000014